(57)【要約】【課題】使用者がなす環に物を吊り下げて、歩いたり走ったりしても、なす環が回動または揺動せず、耳障りな雑音が発生することなく、さらになす環から吊り下げた物を取り外すとき、またなす環を取り替えるときは、なす環が回動または揺動可能として、吊り下げた物を取り外したり、なす環を取り替える作業を容易に行えるなす環吊り下げ具を提供する。【解決手段】鞄Ｂへの固着部１と、なす環２の鞄Ｂへの接触を防ぐための当接板３と、前記なす環２の上部を回動自在に保持する保持部４とを有し、前記当接板３の下部に前記なす環２の下部を係脱自在に係止する係止部１２を設けたものとしている。【選択図】図２
0003132042.tif 000002
【実用新案登録請求の範囲】
【請求項１】
鞄（Ｂ）への固着部（１）と、なす環（２）の鞄（Ｂ）への接触を防ぐための当接板（３）と、前記なす環（２）の上部を回動自在に保持する保持部（４）とを有し、前記当接板（３）の下部に前記なす環（２）の下部を係脱自在に係止する係止部（１２）を設けたことを特徴とするなす環吊り下げ具。
【請求項２】
前記固着部（１）が、鞄（Ｂ）のマチ部（５）に設けたマチベルト（５ａ）に固着するようにしたものであることを特徴とする請求項１記載のなす環吊り下げ具。
【請求項３】
前記なす環（２）を、上リング体（２ａ）と下リング体（２ｂ）とを連結したものとし、この下リング体（２ｂ）に、この下リング体（２ｂ）を左右に二等分するように補強枠（１１）を設け、この補強枠（１１）を前記係止部（１２）に係止したことを特徴とする請求項１記載のなす環吊り下げ具。
【請求項４】
前記係止部（１２）を、前記補強枠（１１）の側方に位置させたことを特徴とする請求項１記載のなす環吊り下げ具。
【考案の詳細な説明】
【技術分野】
【０００１】
この考案は、ランドセルなどの鞄において、その鞄のマチ部などに取り付けるなす環の吊り下げ具に関するものである。
【背景技術】
【０００２】
従来、この種のなす環吊り下げ具としては、例えば図５に示したように、当て板２１の表面に反射シート２２を貼着し、その当て板２１に、なす環２３を枢支重合してなるものとしている。
【０００３】
前記当て板２１は、主板２４に取付け片２５を延出すると共に、その取付け片２５の基端部分を裏面に開口する膨出部２６としている。前記なす環２３は、主枠２３ａに副枠２３ｂを連繋部２３ｃを介して連設し、その連繋部２３ｃに基端を回動自在に取り付けたばね材２８の遊端を、主枠２３ａに設けた鉤部２９の先端内面に圧接させ、副枠２３ｂを前記膨出部２６に回動自在に嵌合するようにしている（特許文献１）。
【０００４】
このように構成された従来のなす環吊り下げ具は、なす環２３が回動または揺動したとしても、鞄の外側板３０の表面は、当て板２１で保護されているから、擦り傷等が付くことがないとしている。さらに、なす環２３が回動または揺動するたびに、当て板２１に貼着してある反射シート２２が見え隠れし、その反射具合を微妙に変えることになる。したがって、ドライバー等は鞄を背負っている児童等に気付き易く、交通事故から守ることができるとしている。
【０００５】
さらに、この種のなす環吊り下げ具としては、例えば図６に示したように、鞄に対するなす環３１の接触を防ぐための当接板３２と、なす環３１を保持するための掛止部３３と、から構成している。
【０００６】
前記掛止部３３は、当接板３２の一面側の中間位置に設けている。この当接板３２の上部には、マチベルト３４用の開放された設置スペース３５を形成している。さらに、この設置スペース３５には、前記マチベルト３４を固定するための当接板３２とは分割された保持手段３６を備えたものとしている（特許文献２）。
【０００７】
このように構成された従来のなす環吊り下げ具は、マチベルト３４の保持手段３６を当接板３２と分割して備えているので、マチベルト３４の鞄への取り付け作業が従来に比べ格段に効率よく行えるとしている。
【特許文献１】登録実用新案第３０１７５３１号公報（図１）
【特許文献２】特開２００２−３４６２８号公報（図１）
【考案の開示】
【考案が解決しようとする課題】
【０００８】
ところで、この種のなす環吊り下げ具は、生産性やコスト性などの点から通常、合成樹脂の成形品としている。また、なす環は、強度性などの点から通常、金属ダイカスト品としている。
【０００９】
そのため、図５に示した従来のなす環吊り下げ具では、上記したようになす環２３が回動または揺動したときに、なす環２３が当て板２１に当たって、「カチカチ」、「コトコト」など、学童等の使用者に耳障りな雑音が発生するという問題点を有していた。
【００１０】
さらに、図６に示した従来のなす環吊り下げ具でも、なす環３１が回動または揺動したときに、なす環３１が当接板３２に当たって、図５に示したものと同様に、学童等の使用者に耳障りな雑音が発生するという問題点を有していた。
【００１１】
そこで、この考案は、上記従来の問題点を解決するものであり、学童等の使用者がなす環に物を吊り下げて、歩いたり走ったりしても、なす環が回動または揺動せず、耳障りな雑音が発生することなく、さらになす環から吊り下げた物を取り外すとき、またなす環を取り替えるときは、なす環が回動または揺動可能として、吊り下げた物を取り外したり、なす環を取り替える作業を容易に行えるなす環吊り下げ具を提供することを目的としてなされたものである。
【課題を解決するための手段】
【００１２】
そのため、この考案のなす環吊り下げ具は、鞄Ｂへの固着部１と、なす環２の鞄Ｂへの接触を防ぐための当接板３と、前記なす環２の上部を回動自在に保持する保持部４とを有し、前記当接板３の下部に前記なす環２の下部を係脱自在に係止する係止部１２を設けたものとしている。
【００１３】
そして、この考案のなす環吊り下げ具は、前記固着部１を、鞄Ｂのマチ部５に設けたマチベルト５ａに固着するようにしたものとしている。
【００１４】
さらに、この考案のなす環吊り下げ具は、前記なす環２を、上リング体２ａと下リング体２ｂとを連結したものとし、この下リング体２ｂに、この下リング体２ｂを左右に二等分するように補強枠１１を設け、この補強枠１１を前記係止部１２に係止したものとしている。
【００１５】
また、この考案のなす環吊り下げ具は、前記係止部１２を、前記補強枠１１の側方に位置させたものとしている。
【考案の効果】
【００１６】
この考案は、以上に述べたように構成されているので、学童等の使用者がなす環に物を吊り下げて、歩いたり走ったりしても、なす環が回動または揺動せず、耳障りな雑音が発生することがなくなった。さらに、なす環から吊り下げた物を取り外すとき、またなす環を取り替えるときは、なす環が回動または揺動可能として、吊り下げた物を取り外したり、なす環を取り替える作業を容易に行えるものとなった。
【考案を実施するための最良の形態】
【００１７】
以下、この考案の実施の形態を、図面に基づいて詳細に説明する。
【００１８】
図１に示すように、この考案のなす環吊り下げ具は、合成樹脂の成形品よりなり、ランドセルなどの鞄Ｂへの固着部１と、なす環２の鞄Ｂへの接触を防ぐための当接板３と、なす環２の上部を回動自在に保持する保持部４とを有している。
【００１９】
固着部１は、断面形状を略コ字状とした表当板１ａと、前記当接板３の上部に突設した裏当板１ｂで囲まれた部分に空間Ｓを形成している。そして、この空間Ｓにランドセルなどの鞄Ｂのマチ部５に設けたマチベルト５ａを挿入し、表当板１ａに設けたリベット孔６から裏当板１ｂに設けたリベット孔７にリベットＲを貫通させて、このマチベルト５ａをリベット止めして、固着するようにしている。
【００２０】
なす環２は、金属ダイカスト品としており、横長の丸形状とした上リング体２ａと縦長の丸形状とした下リング体２ｂとを連結したものとし、その連結部に突起８を設け、この突起８と対向する位置の下リング体２ｂの下部に鉤部９を設けている。そして、前記突起８に、縦長の長方形状としたばね材１０の基端を回動自在に取り付け、このばね材１０の先端を前記鉤部９の先端内面に圧接するようにしている。さらに、前記下リング体２ｂには、この下リング体２ｂを左右に二等分するように補強枠１１を設けたものとしている。
【００２１】
当接板３は、下端が丸みを帯びた縦長の長方形状とし、前記なす環２の外形より大きく形成している。この当接板３の下部には、前記なす環２の下部を係脱自在に係止する係止部１２を設けたものとしている。この係止部１２は、前記補強枠１１の下部の側方に位置させたものとしている。すなわち、この係止部１２は、当接板３に設けた突起としており、その突起の中央に前記なす環２の補強枠１１の下部を無理嵌めするようにした縦溝１２ａが形成されている。そして、この縦溝１２ａに前記補強枠１１の下部を無理嵌めし、補強枠１１の下部を両側方から挟み込むようにして、この補強枠１１の下部を係止部１２に係止したものとしている。なお、前記補強枠１１の下部を係止部１２の縦溝１２ａに無理嵌めするようにするには、例えば図示したように、係止部１２の縦溝１２ａの開口端に沿って僅かな出っ張り１４を設け、補強枠１１の下部をその縦溝１２ａに押し込んだときに、この補強枠１１の下部が前記出っ張り１４を乗り越えるようにすればよい。
【００２２】
保持部４は、鉤状に曲げ加工して弾性を有するものとしており、取付空間４ａを設けると共に、当接板３側に開口４ｂを設け、当接板３との間には、なす環２の上リング体２ａを通すための隙間１３を形成している。この隙間１３は、上リング体２ａの厚さより狭くしたものとしている。
【００２３】
このように構成されたこの考案のなす環吊り下げ具は、ランドセルなどの鞄Ｂのマチ部５に取り付けられ、次のようにして使用される。
【００２４】
この考案のなす環吊り下げ具をランドセルなどの鞄Ｂのマチ部５に取り付けるには、図２〜４に示すように、固着部１の空間Ｓに、前記鞄Ｂのマチ部５に取り付けられているマチベルト５を挿入し、前記したように表当板１ａに設けたリベット孔６から裏当板１ｂに設けたリベット孔７にリベットＲを貫通させて、このマチベルト５をリベット止めして固着する。
【００２５】
さらに、前記なす環吊り下げ具になす環２を取り付けるには、なす環２の上リング体２ａを保持部４の隙間１３から押し込んで、さらに開口４ｂに通せば、この保持部４の取付空間４ａになす環２の上リング体２ａが入り込むことになる。この状態でなす環２の下リング体２ｂを当接板３に押し当てれば、この下リング体２ｂに設けた補強枠１１の下部が、当接板３に設けた係止部１２の縦溝１２ａに無理嵌めされ、この係止部１２に係止される。この場合、前記係止部１２は、補強枠１１の下部の側方に位置するので、なす環２の外側に突出して邪魔になることがなく、また補強枠１１の下部との係止具合も視認し易いものとなる。
【００２６】
したがって、前記なす環吊り下げ具になす環２が取り付けられた状態では、学童等の使用者がなす環２に給食袋などの小物を吊り下げて、歩いたり走ったりしても、なす環２が回動または揺動せず、耳障りな雑音が発生することがない。
【００２７】
さらに、前記なす環２から給食袋などの小物を取り外すときは、給食袋などの下げ紐を手前に引けば、前記係止部１２の縦溝１２ａから前記補強枠１１の下部が外れ、なす環２が回動または揺動するので、給食袋などの下げ紐をなす環２から外し易い角度にして、その下げ紐をなす環２から外すことができる。
【００２８】
また、前記なす環２が破損するなどして、そのなす環２を取り替えるときは、なす環２を手前に引けば、前記したのと同様に係止部１２の縦溝１２ａから前記補強枠１１の下部が外れるので、なす環２を回動または揺動する状態にして、なす環２の上リング体２ａを保持部４の取付空間４ａから開口４ｂ側に移動させ、隙間１３から引き抜いて、破損するなどしたなす環２をなす環吊り下げ具から取り外す。そして、前記なす環吊り下げ具に新しいなす環２を前記したようにして、再度取り付ければ、なす環２を取り替えることができる。
【００２９】
なお、前記なす環２をなす環吊り下げ具に取り付けたり外したりするときに、なす環２の上リング体２ａは、その厚さより狭い隙間１３を通ることになる。このとき、なす環２の上リング体２ａが、前記隙間１３に挟まれるが、保持部４が弾性変形して隙間１３が広がることになり、そのままなす環２の上リング体２ａを押し込んだり引き抜いたりすれば、このなす環２をなす環吊り下げ具に取り付けたり外したりする作業が容易に行えるものとなる。
【図面の簡単な説明】
【００３０】
【図１】この考案のなす環吊り下げ具の一実施形態を示す斜視図である。
【図２】この考案のなす環吊り下げ具になす環を吊り下げた状態を示す斜視図である。
【図３】この考案のなす環吊り下げ具になす環を吊り下げて、ランドセルに取り付けた状態を示す断面図である。
【図４】この考案のなす環吊り下げ具になす環を吊り下げて、ランドセルに取り付けた状態を示す説明図である。
【図５】従来のなす環吊り下げ具の一例を示す斜視図である。
【図６】従来のなす環吊り下げ具の他の例を示す斜視図である。
【符号の説明】
【００３１】
１  固着部
２  なす環
２ａ  上リング体
２ｂ  下リング体
３  当接板
４  保持部
５  マチ部
５ａ  マチベルト
１１  補強枠
１２  係止部
Ｂ  鞄
【図１】
0003132042.tif 000003
【図２】
0003132042.tif 000004
【図３】
0003132042.tif 000005
【図４】
0003132042.tif 000006
【図５】
0003132042.tif 000007
【図６】
0003132042.tif 000008